(57)【特許請求の範囲】
【請求項１】
ダイオキシン類に汚染された土壌に油を接触せしめ該土壌に混入している前記ダイオキシン類を該油に抽出することで該土壌を浄化する方法であって、焼却灰や飛灰などの無機マトリックスに隠蔽されたダイオキシン類が混入している土壌と、パルチミン酸，ステアリン酸，オイレン酸若しくはリノール酸を含む油とを攪拌装置を用いて繰り返し攪拌混合し、前記無機マトリックス同士及び前記無機マトリックスと前記土壌とを擦り合わせて物理的に破壊せしめると共に、前記無機マトリックスを前記油に含まれるパルチミン酸，ステアリン酸，オイレン酸若しくはリノール酸の酸化作用により化学的に分解することで前記無機マトリックスから前記ダイオキシン類を露出させて該ダイオキシン類が前記油と接触可能な状態を作出せしめることで、前記ダイオキシン類を前記油に抽出することを特徴とする汚染土壌の浄化方法。
【請求項２】
請求項１記載の汚染土壌の浄化方法において、前記土壌に混入している前記ダイオキシン類を前記油に抽出した後、この土壌から前記ダイオキシン類を含む前記油を分離し、続いて、この油に含まれている前記ダイオキシン類を無害化する無害化処理を行うことを特徴とする汚染土壌の浄化方法。
【請求項３】
請求項１記載の汚染土壌の浄化方法において、前記土壌に混入している前記ダイオキシン類を前記油に抽出した後、前記土壌と前記油と前記ダイオキシン類との混合物をふるいを用いて粗粒区分と該粗粒区分以外の細粒区分とに分離し、その後、前記粗粒区分から前記ダイオキシン類を含む前記油を分離し、この分離物中の前記ダイオキシン類を無害化する無害化処理を行うことを特徴とする汚染土壌の浄化方法。
【請求項４】
請求項１記載の汚染土壌の浄化方法において、前記土壌に混入している前記ダイオキシン類を前記油に抽出した後、前記土壌と前記油と前記ダイオキシン類との混合物をふるいを用いて粗粒区分と該粗粒区分以外の細粒区分とに分離し、その後、前記細粒区分から前記ダイオキシン類を含む前記油を分離し、この分離物中の前記ダイオキシン類を無害化する無害化処理を行うことを特徴とする汚染土壌の浄化方法。
【請求項５】
請求項２〜４いずれか１項に記載の汚染土壌の浄化方法において、前記ダイオキシン類を含む前記油を分離した後、この分離物を前記土壌に接触せしめる前記油として再利用することを特徴とする汚染土壌の浄化方法。
【請求項６】
請求項２〜４いずれか１項に記載の汚染土壌の浄化方法において、前記ダイオキシン類を含む前記油を分離した後、この分離物を前記土壌に接触せしめる前記油として繰り返し利用し、この繰り返し利用した分離物中の前記ダイオキシン類が所定濃度以上となったら、この分離物中の前記ダイオキシン類を無害化する無害化処理を行うことを特徴とする汚染土壌の浄化方法。
【請求項７】
請求項２〜６いずれか１項に記載の汚染土壌の浄化方法において、前記ダイオキシン類を無害化する無害化処理を行った前記油を前記土壌に接触せしめる前記油として再利用することを特徴とする汚染土壌の浄化方法。
【請求項８】
請求項１記載の汚染土壌の浄化方法において、前記土壌に混入している前記ダイオキシン類を前記油に抽出した後、前記土壌と前記油と前記ダイオキシン類との混合物をふるいを用いて粗粒区分と該粗粒区分以外の細粒区分とに分離し、その後、この粗粒区分から前記油及び前記ダイオキシン類を分離すると共にこの分離物から前記油と前記ダイオキシン類とを分離することを特徴とする汚染土壌の浄化方法。
【請求項９】
請求項１記載の汚染土壌の浄化方法において、前記土壌に混入している前記ダイオキシン類を前記油に抽出した後、前記土壌と前記油と前記ダイオキシン類との混合物をふるいを用いて粗粒区分と該粗粒区分以外の細粒区分とに分離し、その後、この細粒区分から前記油及び前記ダイオキシン類を分離すると共にこの分離物から前記油と前記ダイオキシン類とを分離することを特徴とする汚染土壌の浄化方法。
【請求項１０】
請求項８記載の汚染土壌の浄化方法において、前記粗粒区分から前記油及び前記ダイオキシン類を分離した後、この分離物を前記土壌に接触せしめる前記油として繰り返し利用し、この繰り返し利用した分離物中の前記ダイオキシン類が所定濃度以上となったら、この分離物から前記油と前記ダイオキシン類とを分離することを特徴とする汚染土壌の浄化方法。
【請求項１１】
請求項９記載の汚染土壌の浄化方法において、前記細粒区分から前記油及び前記ダイオキシン類を分離した後、この分離物を前記土壌に接触せしめる前記油として繰り返し利用し、この繰り返し利用した分離物中の前記ダイオキシン類が所定濃度以上となったら、この分離物から前記油と前記ダイオキシン類とを分離することを特徴とする汚染土壌の浄化方法。
【請求項１２】
請求項１〜１１いずれか１項に記載の汚染土壌の浄化方法において、前記油として油脂類を採用したことを特徴とする汚染土壌の浄化方法。
【請求項１３】
請求項１〜１２いずれか１項に記載の汚染土壌の浄化方法において、前記土壌に前記油を接触せしめた後、この土壌に前記油を分散する性質を有する分散液を混合することを特徴とする汚染土壌の浄化方法。
【請求項１４】
ダイオキシン類に汚染された土壌に油を接触せしめ該土壌に混入している前記ダイオキシン類を該油に抽出することで該土壌を浄化する方法であって、焼却灰や飛灰などの無機マトリックスに隠蔽されたダイオキシン類が混入している土壌と、パルチミン酸，ステアリン酸，オイレン酸若しくはリノール酸を含む油とを攪拌装置を用いて該油を分散する性質を有する分散液と共に攪拌混合し、前記無機マトリックス同士及び前記無機マトリックスと前記土壌とを擦り合わせて物理的に破壊せしめると共に、前記無機マトリックスを前記油に含まれるパルチミン酸，ステアリン酸，オイレン酸若しくはリノール酸の酸化作用により化学的に分解することで前記無機マトリックスから前記ダイオキシン類を露出させて該ダイオキシン類が前記油と接触可能な状態を作出せしめ、続いて、この油と土壌と分散液との混合物をふるいを用いて粗粒区分と該粗粒区分以外の細粒区分とに分離し、続いて、この粗粒区分若しくは細粒区分に対し、前記油及び分散液を分離する処理を行い、続いて、この分離した油若しくは分散液に含まれる前記ダイオキシン類が所定濃度以下であったらそのまま前記土壌に加える油若しくは分散液として再利用し、この分離した油若しくは分散液に含まれる前記ダイオキシン類が所定濃度以上であったら該油若しくは分散液に前記ダイオキシン類を無害化する無害化処理を行った後に再利用することを特徴とする汚染土壌の浄化方法。
【発明の詳細な説明】
【０００１】
【発明の属する技術分野】
本発明は、ダイオキシン類に汚染された土壌を浄化する方法に関するものである。
【０００２】
【従来の技術及び発明が解決しようとする課題】
近年、プラスチック材料の燃焼等によって発生したダイオキシン類（ポリ塩化ジベンゾ−ｐ−ダイオキシン（ＰＣＤＤｓ）、ポリ塩化ジベンゾフラン（ＰＣＤＦｓ）、コプラナ−ＰＣＢ（Ｃｏ−ＰＣＢ）等）による環境汚染が問題となっている。また、このダイオキシン類は、空気中に滞在したり、降雨等によって土壌に浸透したりし、土壌のダイオキシン類による汚染が問題となっている。
【０００３】
従って、ダイオキシン類に汚染された土壌を清浄化する技術が、例えば、熔融固化法（ジオメルト法）、アルカリ触媒化学分解法（ＢＣＤ法）、超臨界水酸化法、メカノケミカル法、真空加熱分解法、バイオメデレーション法（微生物分解法）等、提案されている。
【０００４】
しかし、これら従来の土壌の清浄化技術は、高温高圧条件や真空条件等の特殊な条件が必要なものや、除去時間が非常にかかるものや、使用する薬品による二次汚染の問題があるものなど、実施が困難な種々の問題を有している。また、これら従来の土壌の清浄化技術はいずれもコスト高である。
【０００５】
特に、ダイオキシン類に汚染されている土壌における該ダイオキシン類の量は微量であり、このような微量のダイオキシン類を除去する為に前記のような実施が厄介でコスト高の方法は採用しにくい。
【０００６】
本発明は、上記現状に鑑みて発明されたもので、簡単且つコスト安で土壌からダイオキシン類を分離して該土壌を清浄化できる実用性に秀れた汚染土壌の浄化方法を提供するものである。
【０００７】
【課題を解決するための手段】
添付図面を参照して本発明の要旨を説明する。
【０００８】
ダイオキシン類Ｃに汚染された土壌Ａに油Ｂを接触せしめ該土壌Ａに混入している前記ダイオキシン類Ｃを該油Ｂに抽出することで該土壌Ａを浄化する方法であって、焼却灰や飛灰などの無機マトリックスＤに隠蔽されたダイオキシン類Ｃが混入している土壌Ａと、パルチミン酸，ステアリン酸，オイレン酸若しくはリノール酸を含む油Ｂとを攪拌装置を用いて繰り返し攪拌混合し、前記無機マトリックスＤ同士及び前記無機マトリックスＤと前記土壌Ａとを擦り合わせて物理的に破壊せしめると共に、前記無機マトリックスＤを前記油Ｂに含まれるパルチミン酸，ステアリン酸，オイレン酸若しくはリノール酸の酸化作用により化学的に分解することで前記無機マトリックスＤから前記ダイオキシン類Ｃを露出させて該ダイオキシン類Ｃが前記油Ｂと接触可能な状態を作出せしめることで、前記ダイオキシン類Ｃを前記油Ｂに抽出することを特徴とする汚染土壌の浄化方法に係るものである。
【０００９】
また、請求項１記載の汚染土壌の浄化方法において、前記土壌Ａに混入している前記ダイオキシン類Ｃを前記油Ｂに抽出した後、この土壌Ａから前記ダイオキシン類Ｃを含む前記油Ｂを分離し、続いて、この油Ｂに含まれている前記ダイオキシン類Ｃを無害化する無害化処理を行うことを特徴とする汚染土壌の浄化方法に係るものである。
【００１０】
また、請求項１記載の汚染土壌の浄化方法において、前記土壌Ａに混入している前記ダイオキシン類Ｃを前記油Ｂに抽出した後、前記土壌Ａと前記油Ｂと前記ダイオキシン類Ｃとの混合物をふるいを用いて粗粒区分と該粗粒区分以外の細粒区分とに分離し、その後、前記粗粒区分から前記ダイオキシン類Ｃを含む前記油Ｂを分離し、この分離物中の前記ダイオキシン類Ｃを無害化する無害化処理を行うことを特徴とする汚染土壌の浄化方法に係るものである。
【００１１】
また、請求項１記載の汚染土壌の浄化方法において、前記土壌Ａに混入している前記ダイオキシン類Ｃを前記油Ｂに抽出した後、前記土壌Ａと前記油Ｂと前記ダイオキシン類Ｃとの混合物をふるいを用いて粗粒区分と該粗粒区分以外の細粒区分とに分離し、その後、前記細粒区分から前記ダイオキシン類Ｃを含む前記油Ｂを分離し、この分離物中の前記ダイオキシン類Ｃを無害化する無害化処理を行うことを特徴とする汚染土壌の浄化方法に係るものである。
【００１２】
また、請求項２〜４いずれか１項に記載の汚染土壌の浄化方法において、前記ダイオキシン類Ｃを含む前記油Ｂを分離した後、この分離物を前記土壌Ａに接触せしめる前記油Ｂとして再利用することを特徴とする汚染土壌の浄化方法に係るものである。
【００１３】
また、請求項２〜４いずれか１項に記載の汚染土壌の浄化方法において、前記ダイオキシン類Ｃを含む前記油Ｂを分離した後、この分離物を前記土壌Ａに接触せしめる前記油Ｂとして繰り返し利用し、この繰り返し利用した分離物中の前記ダイオキシン類Ｃが所定濃度以上となったら、この分離物中の前記ダイオキシン類Ｃを無害化する無害化処理を行うことを特徴とする汚染土壌の浄化方法に係るものである。
【００１４】
また、請求項２〜６いずれか１項に記載の汚染土壌の浄化方法において、前記ダイオキシン類Ｃを無害化する無害化処理を行った前記油Ｂを前記土壌Ａに接触せしめる前記油Ｂとして再利用することを特徴とする汚染土壌の浄化方法に係るものである。
【００１５】
また、請求項１記載の汚染土壌の浄化方法において、前記土壌Ａに混入している前記ダイオキシン類Ｃを前記油Ｂに抽出した後、前記土壌Ａと前記油Ｂと前記ダイオキシン類Ｃとの混合物をふるいを用いて粗粒区分と該粗粒区分以外の細粒区分とに分離し、その後、この粗粒区分から前記油Ｂ及び前記ダイオキシン類Ｃを分離すると共にこの分離物から前記油Ｂと前記ダイオキシン類Ｃとを分離することを特徴とする汚染土壌の浄化方法に係るものである。
【００１６】
また、請求項１記載の汚染土壌の浄化方法において、前記土壌Ａに混入している前記ダイオキシン類Ｃを前記油Ｂに抽出した後、前記土壌Ａと前記油Ｂと前記ダイオキシン類Ｃとの混合物をふるいを用いて粗粒区分と該粗粒区分以外の細粒区分とに分離し、その後、この細粒区分から前記油Ｂ及び前記ダイオキシン類Ｃを分離すると共にこの分離物から前記油Ｂと前記ダイオキシン類Ｃとを分離することを特徴とする汚染土壌の浄化方法に係るものである。
【００１７】
また、請求項８記載の汚染土壌の浄化方法において、前記粗粒区分から前記油Ｂ及び前記ダイオキシン類Ｃを分離した後、この分離物を前記土壌Ａに接触せしめる前記油Ｂとして繰り返し利用し、この繰り返し利用した分離物中の前記ダイオキシン類Ｃが所定濃度以上となったら、この分離物から前記油Ｂと前記ダイオキシン類Ｃとを分離することを特徴とする汚染土壌の浄化方法に係るものである。
【００１８】
また、請求項９記載の汚染土壌の浄化方法において、前記細粒区分から前記油Ｂ及び前記ダイオキシン類Ｃを分離した後、この分離物を前記土壌Ａに接触せしめる前記油Ｂとして繰り返し利用し、この繰り返し利用した分離物中の前記ダイオキシン類Ｃが所定濃度以上となったら、この分離物から前記油Ｂと前記ダイオキシン類Ｃとを分離することを特徴とする汚染土壌の浄化方法に係るものである。
【００１９】
また、請求項１〜１１いずれか１項に記載の汚染土壌の浄化方法において、前記油Ｂとして油脂類を採用したことを特徴とする汚染土壌の浄化方法に係るものである。
【００２０】
また、請求項１〜１２いずれか１項に記載の汚染土壌の浄化方法において、前記土壌Ａに前記油Ｂを接触せしめた後、この土壌Ａに前記油Ｂを分散する性質を有する分散液を混合することを特徴とする汚染土壌の浄化方法に係るものである。
【００２１】
また、ダイオキシン類Ｃに汚染された土壌Ａに油Ｂを接触せしめ該土壌Ａに混入している前記ダイオキシン類Ｃを該油Ｂに抽出することで該土壌Ａを浄化する方法であって、焼却灰や飛灰などの無機マトリックスＤに隠蔽されたダイオキシン類Ｃが混入している土壌Ａと、パルチミン酸，ステアリン酸，オイレン酸若しくはリノール酸を含む油Ｂとを攪拌装置を用いて該油Ｂを分散する性質を有する分散液と共に攪拌混合し、前記無機マトリックスＤ同士及び前記無機マトリックスＤと前記土壌Ａとを擦り合わせて物理的に破壊せしめると共に、前記無機マトリックスＤを前記油Ｂに含まれるパルチミン酸，ステアリン酸，オイレン酸若しくはリノール酸の酸化作用により化学的に分解することで前記無機マトリックスＤから前記ダイオキシン類Ｃを露出させて該ダイオキシン類Ｃが前記油Ｂと接触可能な状態を作出せしめ、続いて、この油Ｂと土壌Ａと分散液との混合物をふるいを用いて粗粒区分と該粗粒区分以外の細粒区分とに分離し、続いて、この粗粒区分若しくは細粒区分に対し、前記油Ｂ及び分散液を分離する処理を行い、続いて、この分離した油Ｂ若しくは分散液に含まれる前記ダイオキシン類Ｃが所定濃度以下であったらそのまま前記土壌Ａに加える油若しくは分散液として再利用し、この分離した油Ｂ若しくは分散液に含まれる前記ダイオキシン類Ｃが所定濃度以上であったら該油Ｂ若しくは分散液に前記ダイオキシン類Ｃを無害化する無害化処理を行った後に再利用することを特徴とする汚染土壌の浄化方法に係るものである。
【００２２】
【発明の作用及び効果】
ダイオキシン類Ｃは、油Ｂに溶け易いという性質を有しており、ダイオキシン類Ｃに汚染された土壌Ａに油Ｂを接触せしめると、土壌Ａに混入していたダイオキシン類Ｃが油Ｂに抽出される。
【００２３】
また、焼却灰や煙道で発生する飛灰に由来するダイオキシン類Ｃは、灰等の無機マトリックスＤに取り込まれて隠蔽された状態にあり、この状態のダイオキシン類Ｃは抽出しにくいが、本発明の場合であれば、脂肪酸（パルチミン酸，ステアリン酸等の飽和脂肪酸やオレイン酸，リノール酸等の不飽和脂肪酸）を含む油Ｂ（オリーブ油，コーン油，ナタネ油，鯨油等）を採用した場合に、該脂肪酸の酸化作用によって無機マトリックスＤを分解することができ、よって、ダイオキシン類Ｃが油Ｂと接触可能な状態となって該ダイオキシン類Ｃが油Ｂに良好に抽出されることになる。
【００２４】
また、土壌Ａから油Ｂを分離する技術は凝集分離技術や遠心分離技術等として既に確立されており、土壌Ａとダイオキシン類Ｃと油Ｂとの混合物から油Ｂを分離することは容易である。また、この油Ｂの分離の際、該油Ｂに抽出されているダイオキシン類Ｃも土壌Ａから一緒に分離されることになり、よって、土壌Ａからダイオキシン類Ｃが分離され、該土壌Ａが清浄化されることになる。
【００２５】
本発明は上述のようにするから、ダイオキシン類に汚染された土壌を簡単且つコスト安で浄化できる実用性に秀れた汚染土壌の浄化方法となる。
【００２６】
【発明の実施の形態】
図面は本発明の一実施例を図示したものであり、以下に説明する。
【００２７】
ダイオキシン類Ｃに汚染された土壌Ａをホッパー10から混合装置11に導入する。
【００２８】
続いて、混合装置11に油Ｂ（図１では液体１と記載した。）を導入し、この油Ｂを前記土壌Ａと混合する。
【００２９】
ダイオキシン類Ｃは高い脂溶性を有していて油Ｂに溶け易いから、この工程により、土壌Ａに混入（付着）していたダイオキシン類Ｃは油Ｂに抽出される（図２参照）。
【００３０】
また、合成樹脂の燃焼等によって発生したダイオキシン類Ｃは、燃焼の際に形成される灰分（無機マトリックスＤ）に閉じ込められた状態となっていることが多く、この場合、無機マトリックスＤがダイオキシン類Ｃの油Ｂへの抽出を阻害する。しかし、本実施例の場合、油Ｂには脂肪酸が含まれているものが多く、よって、この油Ｂに含まれている脂肪酸が前記無機マトリックスＤを酸化分解した後、ダイオキシン類Ｃが油Ｂへ抽出されることになり、該ダイオキシン類Ｃの油Ｂへの抽出は良好に行われる（図３参照）。
【００３１】
混合装置11は、土壌Ａと油Ｂとの混合撹拌が繰り返し行われるように構成する。この混合撹拌が繰り返し行われることにより、土壌Ａを構成する土粒が微細化されて該土壌Ａの深くに存在するダイオキシン類Ｃが油Ｂに良好に抽出されることになる。また、土壌Ａの表面において油Ｂが繰り返し接触することで該土壌Ａに付着しているダイオキシン類Ｃが油Ｂと繰り返し接触し、該油Ｂに良好に抽出されることになる。また、無機マトリックスＤが土壌Ａや他の無機マトリックスＤと擦り合わされて物理的に破壊され、該無機マトリックスＤに閉じ込められた状態となっているダイオキシン類Ｃが油Ｂにより一層良好に抽出されることになる。
【００３２】
また、この混合装置11は、市販の解こう機、撹拌機（ダム用の強制撹拌混合装置等）、混気高圧ジェット流機、振動撹拌機等を採用すると良い。
【００３３】
油Ｂは、ダイオキシン類Ｃを良好に抽出でき且つ環境汚染の問題が少ない性質を有する生物由来の天然油脂類、例えば、オリーブ油，コーン油，ナタネ油，鯨油等を採用すると良い。尚、鉱物油よりも油脂類の方がダイオキシン類Ｃを抽出する能力が高い。
【００３４】
また、油Ｂは、無機マトリックスＤを良好に分解でき且つ環境汚染の問題が少ない性質を有する脂肪酸（飽和脂肪酸でも不飽和脂肪酸でも良い）、例えば、パルチミン酸，ステアリン酸，オレイン酸，リノール酸等を多く含む油脂類を採用すると良い。パルチミン酸，ステアリン酸，オレイン酸及びリノール酸は、いずれも無機マトリックスＤを酸化する作用を発揮し、この酸化作用によって無機マトリックスＤは分解されることになる。
【００３５】
また、無機マトリックスＤの分解をより一層効率的に行う為、油Ｂに炭酸ナトリウム水溶液等の補助分解液を混合しても良い。
【００３６】
混合装置11における土壌Ａと油Ｂとの所定時間の撹拌混合の後、該混合装置11に、油Ｂを分散する性質を有する分散液（図１では液体２と記載した。）を導入し、前記油Ｂ（ダイオキシン類Ｃを少し含む）を分散液中に分散する。
【００３７】
この分散液は、前記油Ｂを分散し易い石鹸等の界面活性剤を含む水溶液を採用すると良い。
【００３８】
尚、ダイオキシン類Ｃは水に非常に溶けにくい性質を有している為、水溶液中に分散しない。
【００３９】
続いて、この混合装置11内の土壌Ａ，油Ｂ及び分散液の混合物をフルイ装置12に導入し、このフルイ装置12で粗粒区分（図１では粗粒分と記載した。）と細粒区分（図１では細粒分と記載した。）とに分離する。
【００４０】
粗粒区分は、ダイオキシン類Ｃが分離除去された清浄な土壌Ａが主成分であり、この粗粒区分は、そのまま整地材や埋め戻し材等として使用する。
【００４１】
尚、粗粒区分を使用する前に、必要に応じて該粗粒区分を浄化し、通常の水切り（自然なままの水切り）や遠心分離により、該粗粒区分中の土壌Ａに付着している油分等を完全除去しても良い。
【００４２】
一方、細粒区分は、微細な土壌（粒径２ｍｍ乃至７４μｍの砂分、粒径７４乃至５μｍのシルト、粒径５μｍ以下の粘土），油Ｂ及び分散液が主成分であり、ダイオキシン類Ｃが含まれている。従って、この細粒区分には更に浄化処理を施す。
【００４３】
フルイ装置12は、２ｍｍ以上の粒径のものを粗粒区分、その他を細粒区分として分離する構成のものを採用すると良い。
【００４４】
細粒区分は、フルイ装置12で分離された後、一旦、細粒区分受け槽13に溜められ、その後に油分分離装置14に導入される。
【００４５】
油分分離装置14では、例えば、公知の気泡連行法や泡沫浮上法等によって前記油Ｂが分離される。この分離した油Ｂは土壌Ａから容易に分離できるもので、ダイオキシン類Ｃの含有量が少ないものであり、前記土壌Ａに混合する油Ｂとして再利用する。
【００４６】
分離した油Ｂ以外の区分は泥水状であり、微細な土壌，ダイオキシン類Ｃが濃縮された状態で含まれている油Ｂ及び分散液が含まれている。この泥水区分は、一旦、泥水区分受け槽15に溜められた後、沈降装置16に導入される。
【００４７】
沈降装置16では、沈殿法によって前記泥水区分を微細な土壌と上澄み液とに分離する。また、この際、上澄み液は、ダイオキシン類Ｃが濃縮された状態で含まれている油Ｂ及び分散液（ダイオキシン類Ｃが微量含まれている）とに分離する。
【００４８】
この微細な土壌と上澄み液との分離を良好に行う為には、前記泥水区分受け槽15において、泥水区分に凝集剤（商品名「ＰＡＣ」等。図１ではＰＡＣと記載した。）を混合しておいた方が良い。
【００４９】
沈降装置16で沈殿した微細な土壌は、フィルタープレス装置17によって過剰な分散液を除去した後、整地材として使用したり、また、廃棄物処理等の適宜な処理を施す（図１の細粒分。）。
【００５０】
上澄み液の内のダイオキシン類Ｃが濃縮された状態で含まれている油Ｂは、所定量が溜まった後に必要に応じて無害化処理し、土壌Ａに混合する油Ｂとして再利用する。
【００５１】
また、上澄み液の内のダイオキシン類Ｃが微量含まれている分散液は、前記フィルタープレス装置17で除去された過剰な分散液と共に、水受け槽18に溜め、所定量が溜まった後に必要に応じて無害化処理し、土壌Ａに混合する分散液として再利用する。
【００５２】
また、油Ｂの無害化処理及び分散液の無害化処理は、再利用を繰り返すことによって夫々ダイオキシン類Ｃの濃度が高くなってから行った方が処理効率に秀れ、コスト安となる為、良い。
【００５３】
上述の本実施例によれば、ダイオキシン類で１０，０００ｐｇ−ＴＤＱ／ｇ（土壌１ｇが２，３，７，８−四塩化ダイオキシンの１０，０００ｐｇ分の毒性となっている状態）程度の高濃度に汚染された土壌Ａを１５０ｐｇ−ＴＤＱ／ｇ以下にまで清浄化できることが実験により確認されている。
【００５４】
本実施例は上述のようにするから、ダイオキシン類Ｃに汚染された土壌Ａに油Ｂを加え、その後に土壌Ａと油Ｂとを分離するだけの簡易な方法で該土壌Ａをダイオキシン類Ｃに汚染されていない清浄な土壌とすることができる実用性，コスト性に秀れた汚染土壌の浄化方法となる。
【００５５】
また、ダイオキシン類Ｃは油Ｂ、特に油脂に溶け易いから、ダイオキシン類Ｃ土壌Ａから油Ｂに良好に抽出されることになり、よって、土壌Ａの清浄化は確実に実施することができる。
【００５６】
また、土壌Ａと油Ｂとを混合したり分離したりする為の装置は、夫々一般的に使用されている簡易なものを採用できるから、汚染現場で土壌Ａを清浄化することができ、よって、土壌Ａを長距離にわたって運搬したりする必要も無く、それだけコスト安で実施することができる。
【００５７】
また、無機マトリックスＤを分解してからダイオキシン類Ｃを油Ｂに抽出する方法であるから、ダイオキシン類Ｃを含む焼却灰や飛灰等によって汚染された土壌Ａでも確実にダイオキシン類Ｃを除去して清浄化することができる。
【００５８】
また、油Ｂは生物由来物を使用しているから、この油Ｂによる二次環境汚染の問題も少なく、よって、この点において土壌Ａの清浄化が良好に実施されることになる。
【００５９】
また、生物由来の油Ｂは市販物として容易に入手できる為、本実施例は良好に実施することができる。
【００６０】
また、ダイオキシン類Ｃの抽出に使用した油Ｂや分散液等は繰り返し循環再利用するから、それだけコスト安で廃液の発生も少なく、環境性に秀れることになる。
【００６１】
また、繰り返し循環再利用することにより、油Ｂや分散液中のダイオキシン類Ｃが徐々に濃縮されて高濃度となり、このダイオキシン類Ｃが高濃度となった状態でダイオキシン類Ｃの無害化処理を行うから、該無害化処理の処理効率は高く、この点において実用性，効率性に秀れることになる。
【００６２】
また、土壌Ａと油Ｂとを混合した後、油Ｂ（ダイオキシン類Ｃ）を殆ど含まない粗粒区分と，油Ｂ（ダイオキシン類Ｃ）を多く含む細粒区分とに分離するから、油Ｂの分離処理やダイオキシン類Ｃの分離処理を行う量を可及的に少なくすることができ、よって、それだけコスト安，実施性に秀れることになる。
【００６３】
以上、本実施例は、従来であれば土壌Ａの油汚染を懸念して使用されることがなかった油Ｂを用いてダイオキシン類Ｃを除去しようとする画期的な汚染土壌の浄化方法となる。
【図面の簡単な説明】
【図１】  本実施例のフローチャートである。
【図２】  本実施例のダイオキシン類の抽出を示す説明面図である。
【図３】  本実施例の無機マトリックスの分解及びダイオキシン類の抽出を示す説明面図である。
【符号の説明】
Ａ  土壌
Ｂ  油
Ｃ  ダイオキシン類
Ｄ  無機マトリックス
【図１】
0004065141.tif 000002
【図２】
0004065141.tif 000003
【図３】
0004065141.tif 000004